(57)【要約】携帯電話端末、携帯用小型無線呼出し機、無線通信対応の個人情報端末、パーソナルコンピューなどの移動体無線通信装置であって、メモリ（２０）に接続されているプロセッサ（１０）、及び複数の入力キーを備える入力パッド（５０）を有する。複数の通信アドレスがメモリに格納されて（３００）、同じ入力キーの少なくとも単独の入力に関連付けられる（３１０）。例えば、第一の電話番号はキーの単独の入力に関連付けられ、第二の電話番号は前記第一の電話番号と同じ入力キーの２回の連続した入力に関連付けられる。通信アドレスに関連付けられた少なくとも１回のキー入力を入力し、前記連続したキー入力の最後のキー入力を所定の時間にわたって保持すると、該通信アドレスが前記無線通信装置から送信される（３２０）。
2004519960.tif 000002
【特許請求の範囲】
【請求項１】
無線通信装置に格納されている情報を送信するための方法であって、
前記無線通信装置に格納されている情報と、前記無線通信装置上の入力キーからの連続した入力とを関連付けることと、
前記連続した入力は、最初の入力及び最後の入力を含むことと、
情報に関連付けられた連続した入力を入力し、最後の入力を最短入力時間間隔にわたって保持することによって、格納されている情報を前記無線通信装置から送信することとからなる方法。
【請求項２】
前記無線通信装置に格納されている情報と、前記無線通信装置上の同一の入力キーの連続した入力とを関連付ける、請求項１に記載の方法。
【請求項３】
共通の識別子に関連する少なくとも第一の通信アドレス及び第二の通信アドレスを前記無線通信装置に格納し、
前記第一の通信アドレスと第一の入力キーからの単独の入力とを関連付け、第二の通信アドレスと前記第一の入力キーからの少なくとも２回の連続した入力とを関連付け、
前記第一の入力キーからの前記単独の入力を所定の時間間隔にわたって入力することによって、前記第一の通信アドレスを送信し、前記第一の入力キーからの前記少なくとも２回の連続した入力を入力し、前記少なくとも２回の連続した入力の最後の入力を所定の時間間隔にわたって保持することによって、前記第二の通信アドレスを送信する、請求項１に記載の方法。
【請求項４】
前記第一の通信アドレスを数字入力キーの数字と対応する識別子を有するメモリアドレス位置に格納し、前記第二の通信アドレスを少なくとも２つの前記数字入力キーの数字に対応する識別子を有するメモリアドレス位置に格納する、請求項３に記載の方法。
【請求項５】
移動体無線通信装置から通信するための方法であって、
前記移動体無線通信装置に格納されている通信アドレスと、前記移動体無線通信装置における連続したキー入力とを関連付けることと、
前記連続したキー入力が最初のキー入力及び最後のキー入力を含むことと、
通信アドレスに関連付けられた連続した入力を入力し、最短入力時間間隔にわたって最後のキー入力を保持することによって、格納されている通信アドレスを前記移動体無線通信装置から送信することとからなる方法。
【請求項６】
前記移動体無線通信装置に格納されている第一の通信アドレスと、前記移動体無線通信装置における単独のキー入力とを関連付け、
前記移動体無線通信装置に格納されている第二の通信アドレスと、前記第一の通信アドレスに関連付けられたキー入力と同じキー入力の少なくとも連続した第一のキー入力及び第二のキー入力とを関連付け、
前記第一の通信アドレスに関連付けられた単独のキー入力を入力し、前記単独のキー入力を最短入力時間間隔にわたって保持することによって、前記第一の通信アドレスを前記移動体無線通信装置から送信し、
前記第二の通信アドレスに関連付けられた前記連続した第一のキー入力及び第二のキー入力を入力し、前記第二のキー入力を最短入力時間間隔にわたって保持することによって、前記第二の通信アドレスを前記移動体無線通信装置から送信する、請求項５に記載の方法。
【請求項７】
前記移動体無線通信装置に格納されている前記第一の通信アドレス及び第二の通信アドレスと、共通の識別子とを関連付ける、請求項６に記載の方法。
【請求項８】
前記移動体無線通信装置に格納されている第三の通信アドレス及び第四の通信アドレスと、第二の共通の識別子とを関連付け、
前記第三の通信アドレスと、前記移動体無線通信装置における第二の単独のキー入力とを関連付け、前記第二の単独のキー入力は前記単独のキー入力とは異なり、
前記第三の通信アドレスと、前記第三の通信アドレスに関連付けられたキー入力と同じキー入力の連続した少なくとも第一のキー入力及び第二のキー入力とを関連付け、
前記第三の通信アドレスに関連付けられた前記第二の単独のキー入力を入力し、前記第二の単独のキー入力を最短入力時間間隔にわたって保持することによって、前記第三の通信アドレスを前記移動体無線通信装置から送信し、
前記第四の通信アドレスに関連付けられた前記連続した第一のキー入力及び第二のキー入力を入力し、前記対応する第二のキー入力を最短入力時間間隔にわたって保持することによって、前記第四の通信アドレスを前記移動体無線通信装置から送信する、請求項７に記載の方法。
【請求項９】
インターネットアドレスをインターネット対応の移動体無線通信装置から送信するための方法であって、
前記移動体無線通信装置に格納されているインターネットアドレスと、前記移動体無線通信装置における少なくとも単独のキー入力とを関連付けることと、
前記格納されているインターネットアドレスに関連付けられた前記キー入力を入力し、前記キー入力を最短入力時間間隔にわたって保持することによって、前記格納されているインターネットアドレスを前記移動体無線通信装置から送信することとからなる方法。
【請求項１０】
前記移動体無線通信装置に格納されている前記インターネットアドレスと、前記移動体無線通信装置での少なくとも２回の複数の連続したキー入力とを関連付け、
前記連続したキー入力が最初のキー入力及び最後のキー入力を含み、
前記格納されているインターネットアドレスに関連付けられた連続した第一のキー入力及び第二のキー入力を入力し、前記最後のキー入力を最短入力時間間隔にわたって保持することによって、前記格納されているインターネットアドレスを前記移動体無線通信装置から送信する、請求項９に記載の方法。
【請求項１１】
前記移動体無線通信装置に格納されている前記インターネットアドレスと、前記移動体無線通信装置上の同じキーの少なくとも２回の複数の連続したキー入力とを関連付ける、請求項２０に記載の方法。
【請求項１２】
移動体無線通信装置であって、
プロセッサと、
複数の通信アドレスを格納するためのメモリと、
複数の入力キーを有する入力パッドと、
メモリに格納されている第一の通信アドレスと、前記入力キーのうちの１つの連続した第一のキー入力及び第二のキー入力とを関連付ける手段と、
前記第一の通信アドレスに関連付けられた前記連続したキー入力を入力し、前記連続したキー入力の最後の入力を所定の時間にわたって保持する際に、前記第一の通信アドレスを前記移動体無線通信装置から送信するための手段とを備える装置。
【請求項１３】
メモリに格納されている第二の通信アドレスと、前記第一の通信アドレスに関連付けられた同じ入力キーの単独のキー入力とを関連付けるための手段と、
前記第二の通信アドレスに関連付けられた前記単独のキー入力を入力し、前記キー入力を所定の時間にわたって保持する際に、前記第二の通信アドレスを前記移動体無線通信装置から送信するための手段とを備える、請求項１２に記載の移動体無線通信装置装置。
【請求項１４】
共通の識別子に関連付けられた前記第一の通信アドレス及び第二の通信アドレスがメモリに格納されている、請求項１３に記載の移動体無線通信装置。
【請求項１５】
第三の通信アドレスと、前記第一の通信アドレス及び第二の通信アドレスに関連付けられた同じ入力キーの連続した第一のキー入力、第二のキー入力及び第三のキー入力とを関連付けるための手段と、
前記第三の通信アドレスに関連付けられた前記連続したキー入力を入力し、前記連続したキー入力の最後のキー入力を所定の時間にわたって保持する際に、前記第三の通信アドレスを前記移動体無線通信装置から送信するための手段を備える、請求項１３に記載の移動体無線通信装置。
【請求項１６】
共通の識別子に関連付けられた前記第一の通信アドレス、第二の通信アドレス及び第三の通信アドレスがメモリに格納されている、請求項１５に記載の移動体無線通信装置。
【請求項１７】
前記入力キーが１つの数字を有する数字入力キーであり、前記第二の通信アドレスが、前記数字入力キーの数字によって識別されるメモリ位置に格納されている、請求項１３に記載の移動体無線通信装置。
【請求項１８】
前記第一の通信アドレスは、前記数字入力キーの隣接する十進法の第一の位及び十進法の第二の位における前記数字の並列によって識別されるメモリ位置に格納される、請求項１７に記載の移動体無線通信装置。
【請求項１９】
前記複数の通信アドレスは、電話番号、インターネットアドレス及び電子メールアドレスのうちの少なくとも１つを含む、請求項１３に記載の移動体無線通信装置。
【発明の詳細な説明】
【０００１】
本発明は、一般に無線通信装置に関する。より詳細には、本発明はクイック送信機能を有する移動体無線通信装置並びにそのための方法に関する。
【０００２】
（背景）
クイックダイヤル機能はセルラー式電話において知られている。例えば、モトローラ（Ｍｏｔｏｒｏｌａ）のＳｔａｒＴＡＣセルラー式電話機は「ターボダイヤル（Ｔｕｒｂｏ  Ｄｉａｌ）」機能を備えている。この機能を使用すれば、ユーザーは、入力キーのいずれかを押下し、所定の時間にわたって保持するだけで、１〜９のメモリ位置に格納されている電話番号をダイヤルすることができる。モトローラのＳｔａｒＴＡＣ電話機では、メモリ位置（１〜９の位置）を指定することによって、電話番号が対応する１〜９の数字入力キーに関連付けられる。つまり、電話番号が初めて入力されたときに、１〜９の位置にその電話番号が格納される。メモリ位置１は数字キーの１に対応するといった具合になる。
【０００３】
ノキア  モービル  フォーンズ  リミテッド（Ｎｏｋｉａ  Ｍｏｂｉｌｅ  Ｐｈｏｎｅｓ  Ｌｉｍｉｔｅｄ）のＮｏｋｉａ  ６１００シリーズ携帯電話端末は、「ワンタッチダイヤル（１−ｔｏｕｃｈ  ｄｉａｌｉｎｇ）」機能を備えている。ノキアのこの電話端末では、「ワンタッチダイヤル」モードに移行することによって、電話番号が入力キーに関連付けられる。このモードにおいては、予め格納されている電話番号が、キーパッド上の対応する英数字入力キーに割り当てられ得る。その後、電話番号に関連付けられた対応する入力キーを押し、所定の時間にわたって保持することによって記憶されている電話番号がダイヤルされ得る。
【０００４】
短縮ダイヤル機能を備えている既存の電話機において、英数字入力キーに割り当て可能な電話番号の数は、利用可能なキーの数（例えば、通常のセルラー式電話機では１〜９のキーが利用可能である）によって制約される。また、電話機の中には、特定の電話番号が割り当てられているため少なくとも１つの数字キーが使用できないものがある。例えば、Ｎｏｋｉａ  ６１００シリーズ電話端末では、入力キーの１はユーザーのボイスメールの電話番号に、入力キーの９は緊急電話番号の短縮ダイヤルに割り当てられている。
【０００５】
ノキア  モービル  フォーンズ  リミテッドに譲渡された米国特許第５，７１０，８１０号「移動体電話におけるクイックダイヤル（Ｑｕｉｃｋ  Ｄｉａｌｉｎｇ  Ｉｎ  Ａ  Ｍｏｂｉｌｅ  Ｐｈｏｎｅ）」は、「職場」、「自宅」、「携帯電話」などの複数の電話番号と、メモリに格納されている特定の名前とを関連付けられるクイックダイヤル機能を開示している。しかし、このクイックダイヤル機能とされている機能においては、特定の名前と関連付けて格納されている複数の電話番号のうちの１つをダイヤルするには、複数回入力を行なって、スクロールする必要がある。ユーザーはまず格納されている名前の一覧を表示させて、次に表示された一覧をスクロールして名前を選択しなければならない。選択された名前に関連付けられた電話番号、又はその電話番号の証印（「自宅」、「職場」など）が、タッチ式のディスプレイに表示される。次に、タッチ式のディスプレイ上で、所望の電話番号に関連付けられた対応する部分を１〜２回指で押すか、又は入力装置を用いることで、表示された番号の１つがダイヤルされ得る。
【０００６】
下記の発明の詳細と下記に添付されている図面とを注意深く検討すれば、本発明の種々の態様、機能及び利点は、通常の技術を有する当業者にとってより完全に明白なものとなるであろう。
【０００７】
（発明の詳細）
本発明は、一般に移動体無線通信装置を含む無線通信装置に関する。このような移動体無線通信装置の例として、セルラー式電話機、携帯用小型無線呼出し機、個人情報端末、無線通信対応のラップトップコンピュータ及びノートブックコンピュータ、並びに他の電子装置などがある。
【０００８】
図１は、無線通信装置の代表例を示す略式ブロック図である。この装置は、一般にメモリ２０に接続されているプロセッサ又はマイクロコントローラ１０、トランスミッタ／レシーバ３０、表示装置４０、及び複数の入力キーを有する入力キーパッド５０を備える。
【０００９】
この代表的な実施の形態のキーパッドは、携帯電話端末のキーパッドとして典型的なものであり、０〜９の複数の数字入力キー、「発信」キー５２、「中止」キー５３などのファンクションキー、並びにサムホイール等の多位置入力装置又はスクロール装置５４を備える。ある実施の形態においては、数字キーが英字をも入力できる機能を備えていることもある。別の実施の形態においては、無線対応のラップトップコンピュータや一部の双方向携帯用小型無線呼出し機、及びその他の装置によくみられるように、キーパッドに英字入力キーと数字キーとが別に存在することもある。
【００１０】
一般に、メモリは、無線通信装置から送信される情報も含め、無線通信装置上に情報を格納することができる。格納される情報が、少なくとも１つの通信アドレスである実施の形態もあれば、関連の識別子（名前及び名前に関連付けられた識別コードなど）である実施の形態もある。代表的な実施の形態においては、通信アドレスは、電話番号、無線呼出し番号、ボイスメールボックス番号、電子メールアドレス、ＷＷＷやＦＴＰのＵＲＬ等のネットワークアドレスなど、数多くある。
【００１１】
ある実施の形態では、複数の通信アドレスが、個人の名前などの共通の識別子と関連付けられて１台の無線通信装置に格納されている。図２に、識別子と関連付けられて無線通信装置のメモリに格納されている複数の通信アドレスを示す。ある実施の形態においては、各識別子と、これと対応する通信アドレスとが共通のメモリ位置すなわちアドレスに格納されている。
【００１２】
別の実施の形態においては、各通信アドレスが、様々に変形された識別子が付されて別のメモリ位置に格納される。このような変形された識別子の例に、「Ｈａｎ−Ｗ」、「Ｈａｎ−Ｈ」、「Ｈａｎ−Ｃ」及び「Ｈａｎ−Ｅ」があり、それぞれＨａｎの職場の電話番号、自宅の電話番号、携帯電話番号及び電子メールアドレスに対応している。この実施の形態においては、「Ｈａｎ」という識別子は全通信アドレスに共通している。
【００１３】
図３のブロック３００において、電話機が入力モードにあるときに情報を入力した場合などに、情報が電話機に入力すなわち格納される。例えば、ある実施の形態においては、特定の入力に関連付けられたメモリアドレスを指定することによって、ユーザーは電話番号を（要望すれば対応する識別子をも）そのメモリアドレス位置に入力する。別の実施の形態においては、ユーザーが名前と通信アドレス情報とを入力するだけで、この情報の格納先のメモリアドレスを指定しなくても、次に使用可能なメモリアドレスにこの情報が格納される。後者の実施の形態においては、情報の格納先のメモリアドレスを指定するという作業は、ソフトウェアによって行なわれる。
【００１４】
図３のブロック３１０において、無線通信装置に格納されている情報が、無線通信装置上で入力キーからの少なくとも１つの入力と関連付けられる。ある実施の形態においては、この関連付けは、前述のようにデータ入力モードの場合などに、特定のメモリアドレスに情報を入力することによって、手動で作成される。別の実施の形態においては、情報をメモリに格納した後に、ユーザーが情報の格納先のメモリアドレスを指定しなくても、この情報が入力したキーと関連付けられる。後者の実施の形態においては、Ｎｏｋｉａ  ６１００シリーズ電話端末の「ワンタッチダイヤル」モードに似た「セットアップ」モードに移行することによって、情報が入力と関連付けられることもある。ルックアップテーブル又は他の手段によって、入力キーが指定された情報と関連付けられることがある。また、通信アドレスを、入力キーの数字又はその数字キーの複数回の入力に関連付けた際に、この情報が、元のメモリアドレス位置から、入力キー上の数字に対応するメモリアドレスに移動されることもある。
【００１５】
ある実施の形態においては、無線通信装置から送信される情報が、無線通信装置にある同じ入力キーの少なくとも２回の複数の連続したキー入力に関連付けられる。別の実施の形態においては、第一の通信アドレスが入力キーの単独の入力に関連付けられ、第二の通信アドレスが第一の通信アドレスと同じ入力キーの２回の入力に関連付けられる。他の実施の形態においては、別の通信アドレスが、第一の通信アドレス及び第二の通信アドレスと同じ入力キーの３回の入力に関連付けられる。付加的なアドレスが、同じ入力キーのさらなる入力に関連付けられ得る。
【００１６】
本発明の１つの応用例においては、同じ人物に関する複数の通信アドレスが、全て１つの入力キー（無線通信装置の「６」キーなど）に関連付けられており、別の人物に関する複数の入力アドレスが、全て別の入力キー（「７」キーなど）に関連付けられている。特定の人物に関連付けられている複数の通信アドレスは、キー入力の回数により識別される。例えば、ある実施の形態においては、第一の通信アドレスはある入力キーの単独の入力に関連付けられ、第二の通信アドレスは同じ入力キーの２回の入力に関連付けられ、第三の通信アドレスは同じ入力キーの３回の入力に関連付けられる。
【００１７】
図４に、「ＨＡＮ」の複数の通信アドレスと、これらと関連付けられている数字キー「１」の入力との関係を表形式で示す。別の人物の通信アドレスは、数字キー「２」の同じ入力に関連付けられている。この他の識別子に関連する通信アドレスは、英字キー、数字キー、英数字キー、又はファンクションキーなどの他のキーの同じ入力に関連付けることが可能である。セルラー式電話の電話端末への応用例においては、一部のユーザーは電話番号を数字入力キーと関連付けることに慣れているため、０〜９の英数字キーが用いられる。
【００１８】
ある実施の形態においては、入力キーの入力回数は、メモリ位置アドレスの十進数表記に対応している。図４の例では、「ＨＡＮ」の「職場」の電話番号は、メモリアドレス位置「１」に格納されており、「ＨＡＮ」の「自宅」の電話番号は、メモリアドレス位置「１１」に格納されており、「ＨＡＮ」の「電子メール」アドレスは、メモリ位置「１１１１」に格納されている。特定の通信アドレスに関連付けられるメモリアドレス位置が、データ入力時にユーザーによって指定されることもあれば、通信アドレスのデータが、関連付けの作成時に最初のメモリアドレス位置から、特定のキー入力に対応するメモリアドレス位置に移動されることもある。これは、無線通信装置のソフトウェアの制御下で行なわれ得る。
【００１９】
０〜９９までのアドレスしかない場合など、メモリが比較的不足している応用例では、アドレス９９を超える通信アドレスの割り当てに対応している「１１１」、「１１１１」、「２２２」、「２２２２」などのアドレスは、メモリの他の部分に任意に割り当てられることもある。図５に、アドレス０〜９９を有する物理メモリの一部を示す。この例では、超過したアドレス「１１１」、「１１１１」、「２２２」、「２２２２」が存在するが、このようなアドレスの追加によるメモリのサイズの増加分はごくわずかである。別法として、０〜９９の範囲にあるメモリアドレスが新しいアドレスに再割り当てされることがある。例えば、メモリアドレス「１２」及び「１３」には、アドレス「１１１」及び「１１１１」がそれぞれ再割り当てされている。
【００２０】
図３のブロック３２０において、特定のキー入力に関連付けられている通信アドレスが送信される。ある実施の形態においては、キー入力の最後のキーを入力し、最短入力時間間隔にわたって保持することによって無線通信装置からの通信アドレス又は他の情報の送信が実行される。単独のキー入力が特定の通信アドレスに関連付けられている場合、例えば図４に示す入力キー「１」の例では、「１」キーを入力し、所定の時間にわたって保持することにより、「ＨＡＮ」の「職場」の電話番号が送信される。所定の時間にわたって入力キーを入力する操作は、機能的には一部の携帯電話端末の「送信」機能に相当する。この例で、ソフトウェアが指定する時間間隔内に「１」キーを２回入力し、その後「１」のキー入力を別の所定の時間にわたって保持すると、「ＨＡＮ」の「自宅」の電話番号が送信される。前記のソフトウェアが指定する時間間隔は、ユーザーの大半が２つの連続した入力であると認識する時間に設定される。
【００２１】
本発明者による本発明の所有を確立し、通常の技術を有する当業者が本発明を実施及び利用できるように、本発明、並びに現時点における最善と考えられる本発明の形態について詳述した。しかし、ここに開示した代表的な実施の形態の均等例が数多く存在し、本発明の精神及び範囲を逸脱することなく、本発明の無数の変更例及び変形例を作成し得ることは理解され、かつ評価されるであろう。本発明の精神及び範囲は、代表的な実施の形態によってではなく、付属の特許請求の範囲によって限定される。
【図面の簡単な説明】
【図１】移動体通信装置の典型例を示す略式ブロック図。
【図２】共通の識別子（個人の名前など）に関連付けられている複数の通信アドレスを示す図。
【図３】クイック送信を行なうために、無線通信装置に格納されている情報（通信アドレスなど）を、同じ入力キーの少なくとも単独の入力に関連付けるための略式フロー図。
【図４】対応するキー入力に関連付けられている、別の人物の複数の通信アドレスを示す図。
【図５】本発明の代表的な実施の形態による、メモリアドレス割り当て構成を示す図。
【図１】
2004519960.tif 000003
【図２】
2004519960.tif 000004
【図３】
2004519960.tif 000005
【図４】
2004519960.tif 000006
【図５】
2004519960.tif 000007
【国際公開パンフレット】
2004519960.tif 000008
2004519960.tif 000009
2004519960.tif 000010
2004519960.tif 000011
2004519960.tif 000012
2004519960.tif 000013
2004519960.tif 000014
2004519960.tif 000015
2004519960.tif 000016
2004519960.tif 000017
2004519960.tif 000018
2004519960.tif 000019
2004519960.tif 000020
2004519960.tif 000021
2004519960.tif 000022
2004519960.tif 000023
2004519960.tif 000024
2004519960.tif 000025
【国際調査報告】
2004519960.tif 000026
2004519960.tif 000027
2004519960.tif 000028